(57)【要約】【課題】  大容量のドラムにおいても、防振部材の数量を増加させることなく、洗濯物や水などの負荷量の変化に対して、少なくともドラムと外槽とモータとが含まれる振動系の安定性を向上した洗濯機を提供する。【解決手段】  水を溜める外槽２３と、該外槽２３内に回転可能に設けた洗濯兼脱水槽であるドラム２１と、該ドラム２１を回転駆動するモータ２２と、前記外槽２３の下側前方を上方に向かって支持する前側防振部材２４と、前記外槽２３の下側後方を上方に向かって支持する後側防振部材２５とを備えた洗濯機において、前記前側防振部材２４と後側防振部材２５とが、少なくとも前記外槽２３と前記ドラム２１と前記モータ２２とが含まれる系の無負荷時の重心よりも前方に配されていることを特徴とする洗濯機。【選択図】  図３
2017144008.tif 000002
【特許請求の範囲】
【請求項１】
水を溜める外槽と、該外槽内に回転可能に設けた洗濯兼脱水槽であるドラムと、該ドラムを回転駆動するモータと、前記外槽の下側前方を上方に向かって支持する前側防振部材と、前記外槽の下側後方を上方に向かって支持する後側防振部材とを備えた洗濯機において、
前記前側防振部材と後側防振部材とが、少なくとも前記外槽と前記ドラムと前記モータとが含まれる系の無負荷時の重心よりも前方に配されていることを特徴とする洗濯機。
【請求項２】
請求項１記載の洗濯機において、
前記外槽下側に左右１本ずつ設けられている前記前側防振部材と前記後側防振部材のうち、後側防振部材が、正面視で脱水時の前記ドラムの回転方向が下向きとなる側に設けられていることを特徴とする洗濯機。
【請求項３】
請求項１または２記載の洗濯機において、
前記外槽の上側前端を上側前方に懸架する第１吊りばねと、前記外槽の上側後端を上側後方に懸架する第２吊りばねとを備え、前記第１吊りばねが正面視で後側防振部材の上方、前記第２吊りばねが正面視で前側防振部材の上方に配されたことを特徴とする洗濯機。
【発明の詳細な説明】
【技術分野】
【０００１】
本発明は、ドラム式洗濯機およびドラム式洗濯乾燥機に関するものである。
【背景技術】
【０００２】
ドラム式洗濯機は、筐体内に水を溜める外槽が防振支持され、その外槽内に洗濯兼脱水槽であるドラムがモータを介して回転自在に支持されている。脱水工程時には、ドラムを高速回転させることにより、そのドラム内に収容された洗濯物の脱水が行われる。このとき、ドラム内の洗濯物に片寄り（アンバランス）が発生すると、遠心力の不釣合いにより加振力が生じる。この加振力により、少なくともドラムと外槽とモータとが含まれる振動系が振動し、振動や騒音をもたらす場合がある。そこで、この種のドラム式洗濯機は、外槽を下方から支持する防振部材を備え、振動系の振動を抑制している。
【０００３】
ドラム式洗濯機のようにドラムの回転軸が略水平の洗濯機は、衣類等の洗濯物がドラム内に投入される前と後とで、前記振動系の重心が前後方向に移動する。すなわち、洗濯物や水など外槽が保持する負荷量によって、振動系の重心位置と防振部材の位置関係が変化する。そして、振動系の重心位置が防振部材よりも前方あるいは後側にあるとき、負荷量が大きく、かつ振動系の重心位置と防振部材位置との距離が長いほど、前記負荷量と前記距離との積から成るモーメント力が大きくなり，外槽が傾き易くなる。外槽の傾きが大きくなると、振動状態が変わるだけでなく、外槽と筺体との隙間関係も変わる。その結果、外槽と筺体とが衝突し易い条件も変わることで、負荷量によっては振動や騒音が過大になる場合があり、またそれを防止するための構造や制御が複雑化する場合もある。したがって、振動や騒音が過大となるのを防止するためには、負荷量で外槽が過大に傾くのを防止すること、すなわち負荷量に対する振動系の安定性が必要となる。
【０００４】
そこで、従来技術として特許文献１には、「水槽、ドラム、モータ等で構成される被支持部をその重心の前側に１本、後側に２本のサスペンションで支持することにより、安定良く自立して支持することが出来る。また、３本のサスペンションを前後に傾斜させて取り付けることにより、前後方向の振動をよりよく抑えることが出来るようになる」と記載されている。
【０００５】
また特許文献２には、「水槽を支持する第１防振部材と第２防振部材との間には、前後方向に関して所定の間隔が開けられている。これにより、水槽は、前後方向に関して第１防振部材と第２防振部材とによって安定的に支持される」と記載され、さらに「第１防振部材と第２防振部材との所定の間隔は、水槽と洗濯槽とが含まれる系の無負荷状態の時の重心、および定格負荷状態のときの重心を含む範囲であることが好ましい。この構成によれば、当該洗濯機の無負荷状態のときと定格負荷状態にて当該洗濯機が運転する時との間にて系の重心が前後方向に移動する場合であっても、第１防振部材と第２防振部材との間に重心が位置するため、系の振動の複雑化を抑制することができる」と記載されている。
【先行技術文献】
【特許文献】
【０００６】
【特許文献１】特開２００３−７９９９５号公報
【特許文献２】特開２０１３−４６８４３号公報
【発明の概要】
【発明が解決しようとする課題】
【０００７】
しかしながら、上記特許文献１で開示された技術は、振動系の安定性を向上させるために３本の防振部材で外槽を支持しているが、防振部材が２本の洗濯機と比べて多いため、防振部材のコスト、さらには洗濯機のコストが増加してしまう課題を有していた。したがって、防振部材の数量を増加させることなく、振動系の安定性を向上させる構成としては、上記特許文献１は好ましくない。
【０００８】
また上記特許文献２は、前後方向に所定の間隔を隔てて配された２本の防振部材が、最も軽い無負荷時における振動系の重心を前記防振部材の間に含むように設けられていることで、外槽の姿勢変化を防止している。しかしながら、本構成では負荷量による振動系の重心移動量が大きくなるにつれ、２本の防振部材の間隔が広がってしまう。すなわち、最大負荷時における振動系の重心と、無負荷時における振動系の重心よりも後方に配された防振部材との間隔が広がってしまう。その結果、最大負荷時において、２本の防振部材のうち前側に配置された防振部材にかかる荷重が、もう一方の防振部材よりも大きくなり、外槽の前端が下方に傾いてしまう。特に、ドラムの大容量化を図る場合、人の動線がある筺体前方に空間の余裕があることが多いため、ドラムを前後方向に延伸することで、負荷量による振動系の重心移動量が大きくなりやすい。したがって、特許文献２は、大容量ドラムの場合において、負荷量に対する振動系の安定性が十分ではないという課題を有していた。
【０００９】
本発明の目的は、大容量のドラムにおいても、防振部材の数量を増加させることなく、洗濯物や水などの負荷量の変化に対して、少なくともドラムと外槽とモータとが含まれる振動系の安定性を向上した洗濯機を提供することにある。
【課題を解決するための手段】
【００１０】
上記課題を解決するために、水を溜める外槽と、該外槽内に回転可能に設けた洗濯兼脱水槽であるドラムと、該ドラムを回転駆動するモータと、前記外槽の下側前方を上方に向かって支持する前側防振部材と、前記外槽の下側後方を上方に向かって支持する後側防振部材とを備えた洗濯機において、前記前側防振部材と後側防振部材とが、少なくとも前記外槽と前記ドラムと前記モータとが含まれる系の無負荷時の重心よりも前方に配されている。
【発明の効果】
【００１１】
本発明によれば、前後に間隔を隔てて配置した２本の防振部材は、最大負荷時における振動系の重心とより近い位置に配置できるため、大容量ドラムの場合においても、防振部材の数量を増加させることなく、負荷量に対する振動系の安定性を向上できる。
【図面の簡単な説明】
【００１２】
【図１】本実施の形態例に係るドラム式洗濯機の内部構造を示す右側面図である。（実施例１）
【図２】本実施の形態例に係るドラム式洗濯機の内部構造を示す正面図である。（実施例１）
【図３】本実施の形態例に係るドラム式洗濯機の主要な要素の位置関係を簡易的に表した模式図である。（実施例１）
【図４】本実施の形態例に係るドラム式洗濯機の重心移動について簡易的に表した模式図である。（実施例１）
【図５】本実施の形態例に係るドラム式洗濯機の内部構造を示す背面図である。（実施例２）
【図６】本実施の形態例に係るドラム式洗濯機の主要な要素の位置関係を簡易的に表した模式図である。（実施例３）
【発明を実施するための形態】
【００１３】
以下、本発明の実施の形態例について、適宜図を参照しながら詳細に説明する。
【００１４】
＜実施例１＞
図１は本実施の形態例におけるドラム式洗濯機の内部構造を示す右側面図、図２はドラム式洗濯機の内部構造を示す正面図である。図２の正面図で、紙面手前方向を前側、紙面奥行き方向を後側として示す。図１のＺは、ドラム２１及びモータ２２の回転軸を表す。
【００１５】
図１に示すように、ドラム式洗濯機は、外郭を構成する筐体１の略中央に、洗濯物を出し入れするための投入口１ａが設けられており、この投入口１ａにはドア２を開閉自在に取り付けてある。筐体１の上部にある操作パネル３は、運転を逐次制御するための制御装置４と電気的に接続されており、運転コースの設定や運転状態の表示を行う。筐体１の内部には、水を溜める外槽２３と、衣類を収納するためのドラム２１と、ドラム２１を回転駆動するためのモータ２２が設けられている。筐体１の投入口１ａ、外槽２３の開口部２３ａ、ドラム２１の開口部２１ａは連通しており、ドア２を開くことでドラム２１内への洗濯物の出し入れが可能となっている。
【００１６】
ドラム２１は、開口部２１ａと背面とを有する略円筒形に形成され、外槽２３に内包されている。ドラム２１の背面は、シャフト２２ａを介してモータ２２に連結されている。ドラム２１は、このモータ２２により、左回転（ドラム２１の正面から見て反時計回り）と右回転（ドラム２１の正面から見て時計回り）の両方向に回転駆動される。ドラム２１内周壁には、洗濯物を持ち上げるためのリフタ２１ｂと、脱水のための貫通孔２１ｃが複数設けられている。ドラム２１の前端には、円筒状の流体バランサ２１ｄが設けられている。ドラム２１の回転軸Ｚは、略水平、または前側が後側よりも高くなるように傾斜されて設けられている。なお、矢印Ａ（図２参照）で示す脱水回転方向は、最高回転数に上昇させるときの回転方向を基準とし、本実施の形態例では左回転とする。
【００１７】
外槽２３は、前面と背面を有する略円筒に形成され、開口部２３ａのある槽カバー２３ｂと、背面のある水槽２３ｃとに、分割面２３ｄで分割可能である。外槽２３は、前面の開口部２３ａが環状のパッキンであるベローズ２６で筺体１の投入口１ａと接続されており、ドア２を閉めることで水封される。分割面２３ｄは、外槽２３の前後方向の中心よりも前方に配されており、後述する前側防振部材２４と後側防振部材２５が水槽２３ｃに取り付けられた状態で槽カバー２３ｂの取り外しが可能となっている。
【００１８】
外槽２３の下側には、外槽２３の振動を検出するための振動検出手段３０が設けられている。振動検出手段３０は、電気的に制御装置４と接続されている。振動検出手段３０は分割面２３ｄより後方、すなわち水槽２３ｃに設けてあることで、制御装置４との接続を変更することなく、槽カバー２３ｂが取り外し可能となる。なお、振動検出手段３０は、制御装置４に近い外槽２３の上部に配置しても良く、操作パネル３と近い槽カバー２３ｂに配置しても良い。
【００１９】
外槽２３の下側には、経路に排水弁１３ｂを有する排水ホース１３が排水口１３ａに接続されている。また、外槽２３の正面から見て左側には、給水弁１０ｂと洗剤容器１２を経路に有する給水ホース１０が接続されており、給水弁１０ｂを開くことで、給水口１０ａから外槽２３内に水の供給が可能となっている。なお、外槽２３内の水量は、水位検出手段１４によって検出可能となっている。
【００２０】
外槽２３の上側には、振動低減を目的にウエイト２９が設けられている。ウエイト２９は、前側防振部材２４の上方か、それよりも前に設けられ、槽カバー２３ｂに固定されている。なお、ウエイト２９は必ずしも一つである必要はなく、回転軸Ｚの上側と下側とに分割して設けても良い。また、軽量化により槽カバー２３ｂの取り外しを容易にするために、ウエイト２９を水槽２３ｃに設けても良い。
【００２１】
外槽２３の上側には、外槽２３の姿勢を保持するための前吊りばね２７と、後吊りばね２８が設けられている。前吊りばね２７は、一端が外槽２３に、もう一端が筺体１に接続され、外槽２３を斜め上方に懸架している。後吊りばね２８は、一端が外槽２３に、もう一端が筺体１に接続され、前吊りばね２７と前後方向に関して逆方向に向かって外槽２３を懸架している。なお、前吊りばね２７と後吊りばね２８は、直接外槽２３あるいは筺体１と接続されている必要はなく、耐久性を上げるために、潤滑剤などが塗布された部材を介して接続されても良い。
【００２２】
外槽２３の下部には、外槽２３の前端あるいは後端が下方に傾くのを防止するために、外槽２３との接続部において、前側防振部材２４と後側防振部材２５が側面視で所定の間隔を隔てて設けられている。前側防振部材２４は、減衰力が発生するダンパ２４ａと、ばね力が発生する圧縮コイル２４ｂと、回転自在に変形するゴムブッシュ２４ｃ（ダンパ２４ａの上端にも設けられている）と、外槽２３に固定された上側ダンパベース２４ｄと、筺体１に固定された下側ダンパベース２４ｅとを備えている。この構成は、後側防振部材２５も同様であるため、説明を省略する。前側防振部材２４と後側防振部材２５は、左右方向の間隔が下端よりも上端の方が狭くなっており、正面視で「ハの字」が描かれるように配置されている。なお、ダンパ２４ａは、例えば、内封液体の粘性抵抗を利用したオイルダンパや、摺動部の摩擦を利用した摩擦ダンパ、アクチュエータを備えたアクティブダンパなどがある。また、ダンパ２４ａは、本実施の形態例のようにゴムブッシュ２４ｃを介して上側ダンパベース２４ｄ（下側ダンパベース２４ｅ）と接続するのではなく、外槽２３と直接接続してもよい。
【００２３】
ここで図３は、前側防振部材２４と後側防振部材２５の説明のために、少なくとも外槽２３とドラム２１とモータ２２とウエイト２９が含まれる系（以下、振動系と呼ぶ）と、その他主要な要素を簡易的に表したものである。振動系は、外槽２３と一体で振動する要素であり、外槽２３内に保持される洗濯物や水などの負荷量も含まれる。図３のＧ０は無負荷時における振動系の重心位置、Ｇ１は最大負荷時における振動系の重心位置を表している。
【００２４】
無負荷とは、洗濯物と水など外槽２３内に保持される負荷量が全く無い状態で、かつ外槽２３内に水が全く入っていない状態である。すなわち、無負荷時は振動系の質量と重力の積から成る荷重が最も小さい条件である。なお、無負荷時における重心Ｇ０は、モータ２２の質量が比較的大きいため、回転軸Ｚ方向に関してドラム２１の中心よりも後方に位置する。
【００２５】
一方、最大負荷とは、乾いた状態でドラム２１内に収納できる洗濯物の最大質量（以下、定格負荷と呼ぶ）がドラム２１内に投入され、さらに後述する洗い行程またはすすぎ行程で外槽２３内に溜められた水が最大水位となっている状態である。すなわち、最大負荷時は振動系の質量と重力の積から成る荷重が最も大きい条件である。振動系の重心は、無負荷時のＧ０から負荷量が増加にするにつれ前方に移動して、最大負荷時のＧ１で最も前方に位置する。これは、負荷自身の重心が回転軸Ｚに関してドラム２１の略中央に位置するためで、負荷量の増加に伴い、モータ２２の質量よりも影響が大きくなるためである。このような負荷量の増加に伴う重心移動は、ドラム２１の回転軸Ｚが水平に近いほど、負荷が前に移動し易いため、顕著である。
【００２６】
例えば、定格負荷が１０ｋｇの場合、洗濯物が水を含んで３〜５倍程度の質量３０〜５０ｋｇに増加するのに加え、満水時は外槽２３内に２０〜４０ｋｇ程度の水が溜められているため、前側防振部材２４と後側防振部材２５は、約９０ｋｇの振動系の質量を支持することになる。
【００２７】
ここで、前側防振部材２４と後側防振部材２５は、共に無負荷時における振動系の重心Ｇ０より前方に配置されている。すなわち、後方から、無負荷時における振動系の重心Ｇ０、後側防振部材２５の中心線Ｌ２、前側防振部材２４の中心線Ｌ１の順に配置されている。これによれば、最も軽い無負荷時における振動系の重心Ｇ０を主に後側防振部材２５で支持し、逆に最も重い最大負荷時における振動系の荷重負荷Ｇ１を前側防振部材２４と後側防振部材２５の２本で支持するため、振動系の重心移動量が大きい場合においても、安定して外槽２３を支持することが出来る。
【００２８】
前側防振部材２４は、最大負荷時における振動系の重心Ｇ１か、それよりも前方に配置するのが望ましい。これによれば、最大負荷時における振動系の重心Ｇ１が、前側防振部材２４と後側防振部材２５の間に位置することになる。前側防振部材２４と後側防振部材２５の前後方向の中心Ｌ３が、無負荷時における振動系の重心Ｇ０よりも、最大負荷時における振動系の重心Ｇ１に近くなる。したがって、最大負荷時における振動系の安定性をより向上させることが出来る。なお、この構成は無負荷時における振動系の重心Ｇ０と前側防振部材２４との距離が長くなるが、外槽２３を傾かせる力が無負荷時は最も小さいため、その影響は小さい。
【００２９】
ここで図４は、前側防振部材２４と後側防振部材２５とドラム２１を用いて、負荷量に伴う振動系の重心移動と、振動系の重心にかかる荷重の大きさを模式的に表したものである。ドラム２１の前後方向の略中心には、負荷量による一様荷重Ｐが掛っており、鉛直下方に荷重Ｆ２を発生させている。一方、無負荷時における振動系の重心Ｇ０には、鉛直下方に荷重Ｆ０が掛っている。負荷量が増加し、一様荷重Ｐが大きくなると、振動系の重心は、最大負荷時における振動系の重心Ｇ１に近づいてき、荷重の大きさも最大のＦ１に近づいていく。そして、最大荷重Ｆ１によって、前側防振部材２４あるいは後側防振部材２５の縮み量が最大となる。このとき、前側防振部材２４と後側防振部材２５の距離が近いほど、それらの縮み量の差が小さくなり、外槽２３の傾きが小さくなる。逆に、負荷量が小さい時は、前側防振部材２４と後側防振部材２５の距離が長くても、支持する質量も小さいため、縮み量の差は小さい。したがって、本実施の形態例のように、最大負荷時における振動系の重心Ｇ１近傍を、前側防振部材２４と後側防振部材２５で支持することで、負荷量の増減に対する振動系の安定性を向上できる。
【００３０】
また、前側防振部材２４は、分割面２３ｄより後方、すなわち水槽２３ｃに設けられている。これによれば、開口部２３ａのある槽カバー２３ｂに比べて、水槽２３ｃは有底円筒型で強度があるため、安定して最大負荷時における振動系の重心Ｇ１を支持することが出来る。
【００３１】
一方、後側防振部材２５は、矢印Ａ（図２参照）で示すように、ドラム２１の脱水回転方向が下向きとなる側に設けられている。これによれば、外槽２３が右斜め上方向を長径とする楕円軌道の振動状態（図２の矢印Ｂ参照）において、後側防振部材２５の伸縮変化量と伸縮速度変化が大きくなるため、効率的に外槽２３に減衰を与えて低振動化を図ることが出来る。このような振動状態は、外槽２３が左右方向に振動するモードと、上下方向に振動するモードの共振回転数が近い場合に発生し易く、特に、特にバスマット一枚のような少量衣類で大きくなり易い。すなわち、無負荷時における振動系の重心Ｇ０近傍が、右方向かつ上方向から左方向かつ下方向に振動することで、図２の矢印Ｂに示すような楕円軌道となる。したがって、後側防振部材２５を無負荷時における振動系の重心Ｇ０近傍に設けることで、効率的に振動低減を図ることが出来る。なお、本実施の形態例のようにドラム２１の脱水回転方向が左回転の場合は後側防振部材２５が正面視で左側となり、脱水回転方向が右回転の場合は後側防振部材２５が右側となる。
【００３２】
また、前側防振部材２４と後側防振部材２５は、前吊りばね２７と外槽２３との接続部よりも後方で、かつ後吊りばね２８と外槽２３との接続部の前方に配されている。これによれば、最大負荷時における振動系の重心Ｇ１が前側防振部材２４よりも前方にある場合においても、外槽２３の前端あるいは後端が上方に引っ張られるため、振動系の安定性を向上できる。なお、最大負荷時における振動系の安定性をより向上させるためには、前側防振部材２４と後側防振部材２５を、後吊りばね２８と外槽２３との接続部よりも後方に配置して、前吊りばね２７と後吊りばね２８の両方で外槽２３の前端を上方に引っ張り上げれば良い。これは、前側防振部材２４よりも前方で、外槽２３の上部を側面視で「Ｖ字」を描くように懸架するものである。
【００３３】
上記構成において、その動作を説明する。ドア２を開いてドラム２１内に洗濯物を投入し、洗剤容器１２内に所定量の洗剤を投入した後、運転を開始させると、まず、洗い工程を実行する。洗い工程において、給水弁１０ｂが開き給水された水は、洗剤容器１２および給水ホース１０を介して、洗剤と共に外槽２３内に入る。この動作を所定時間実行した後、ドラム２１が正転、停止、逆転、停止を繰り返す攪拌動作を所定時間実行する。このとき、ドラム２１内に収容された洗濯物は、ドラム２１内周壁に設けられたリフタ２１ｂによって回転方向に持ち上げられ、持ち上げられた高さ位置から落下する攪拌動作が繰り返されるため、洗濯物にはたたき洗いの作用が働いて洗われる。
【００３４】
この動作を所定時間行った後、洗い工程を終了し、脱水工程を実行する。この脱水工程においては、まず排水弁１３ｂが開き、外槽２３内の水が排水ホース１３を介して機外に排水される。次に、ドラム２１を矢印Ａの脱水回転方向（本実施例では左回転）に回転させて、所定回転速度（例えば、９００ｒ／ｍｉｎ）に到達した後に所定時間回転させることで、洗濯物に含まれる水を脱水する。
【００３５】
この脱水工程を所定時間行った後、給水弁１０ｂが開き給水され、その水は洗剤容器１２および給水ホース１０を通り、外槽２３内に注水され、すすぎ工程が実施される。このすすぎ工程においては、前述した洗い工程と同様に、正転、休止、反転、休止の動作を繰り返す攪拌動作を所定時間実行する。このとき、洗濯物がドラム２１の内周壁に設けられたリフタ２１ｂによって回転方向に持ち上げられ、持ち上げられた高さ位置から落下する攪拌動作が繰り返されるため、洗濯物に含まれる洗剤成分が希釈され、すすぎが行われる。なお、乾燥機能を備えたドラム式洗濯乾燥機の場合は、この後に乾燥工程を実行する。
【００３６】
以上のように本実施の形態例においては、前側防振部材２４及び後側防振部材２５が最も軽い無負荷時における振動系の重心Ｇ０よりも前方に配置することで、最大負荷時における振動系の重心Ｇ１と前側防振部材２４及び後側防振部材２５との距離を近づけることが出来るため、大容量ドラムのように、負荷量に伴う振動系の重心移動が大きい場合においても、防振部材の数量を増加させることなく、外槽２３の傾きを防止して、負荷量に対する振動系の安定性を向上できる。
【００３７】
なお、本実施の形態例においてはドラム式洗濯機について述べたが、乾燥機能の付いたドラム式洗濯乾燥機でも同様の効果が得られる。また、本実施の形態例においては、脱水回転方向を左回転としているが、逆の右回転でもよく、その場合は前側防振部材２４が正面視で左側、後側防振部材２５が正面視で右側とすることで、同様の効果が得られる。
【００３８】
＜実施例２＞
図５は、第２の実施の形態例におけるドラム式洗濯機の背面の内部構造を示す模式図である。外槽２３の下方後側には、モータ５０が設けられている。モータ５０の前方、すなわち外槽２３の右側には、前側防振部材５４が設けられており、外槽２３の左側には後側防振部材５５が設けられている。また、外槽２３の背面に設けられたプーリー５１は、ドラム２１の背面と連結して、ドラム２１を回転自在に支持している。モータ５０の動力は、ベルト５２を介してプーリー５１に伝わり、ドラム２１が左右方向に回転駆動できる。本実施の形態例では、脱水回転方向は左回転としている。
【００３９】
上記構成によれば、後側防振部材５５と比べて、前側防振部材５４の後方の方が広くなっているため、モータ５０を配置するための空間を確保できる。すなわち、モータ５０を大きく出来るため、回転数の増加を抑えながら大きな出力を出すことができ、回転数に起因する騒音を抑えることが出来る。
【００４０】
なお、本実施の形態例においては、前側防振部材５４とモータ５０を正面視で右側に配置しているが、脱水回転方向が右回転の場合は、前側防振部材５４とモータ５０を正面視で左側に配置しても、同様の効果が得られる。
【００４１】
＜実施例３＞
図６は、第３の実施の形態例におけるドラム式洗濯機の上面の内部構造を示す模式図である。図６は、前側防振部材２４と後側防振部材２５の中間線Ｘと、それに直交するドラム２１の回転軸Ｚによって、外槽２３を上面視でＡ１、Ａ２、Ａ３及びＡ４の４つのエリアに分けて示している。外槽２３の前端に設けられた前吊りばね６０は、ドラム２１の回転軸Ｚに対して後側防振部材２５寄りに配置され、外槽２３の後端に設けられた後吊りばね６１は、ドラム２１の回転軸Ｚに対して前側防振部材２４寄りに配置してある。すなわち、エリアＡ１には後側防振部材２５、エリアＡ２には前吊りばね６０、エリアＡ３には前側防振部材２４、そしてエリアＡ４には後吊りばね６１が配されている。なお、他の構成と運転制御は、実施例１と同じであり、同一符号を付して説明を省略する。
【００４２】
上記構成によれば、外槽２３が下方から支持されていないエリアＡ２あるいはＡ４を、前吊りばね６０と後吊りばね６１とで上方に懸架しているため、外槽２３のエリアＡ２あるいはエリアＡ４が下方向に傾くのを防止出来る。また、外槽２３の上方の空間が最も狭くなるドラム２１の回転軸Ｚの上方を避けて前吊りばね６０と後吊りばね６１とが配されているため、外槽２３の上方の空間が広くなり、外槽２３と筺体１との衝突を防止できる。
【００４３】
なお、ドラム２１の脱水回転方向が逆の場合は、左右対称とすることで、同様の効果が得られる。
【符号の説明】
【００４４】
１  筐体
２１  ドラム
２２  モータ
２３  外槽
２３ｂ  槽カバー
２３ｃ  水槽
２３ｄ  分割面
２４  前側防振部材
２５  後側防振部材
２７  前吊りばね
２８  後吊りばね
２９  ウエイト
【図１】
2017144008.tif 000003
【図２】
2017144008.tif 000004
【図３】
2017144008.tif 000005
【図４】
2017144008.tif 000006
【図５】
2017144008.tif 000007
【図６】
2017144008.tif 000008